(57)【要約】【課題】デパートなどの商品券やビール券 ,図書券 ,米券などを収容する、組立て作業と収容作業とが容易な商品券用の紙箱を提供する。【解決手段】本発明は、長方形の底面板２１の前後左右の各辺に、前後左右の側面板２ ,２ ,２ ,２と上面額縁板３ ,３ ,３ ,３と側面内板４ ,４ ,４ ,４と折返し片５ ,５ ,５ ,５とを順に連設して成る、通常の額縁二重壁式の上面を開放した偏平直方体状の箱体２０であって、また少なくとも前後辺に上面繋止片８ ,８を設けた長方形状の蓋面板３１の前後左右の各辺に、前後左右の側面差込み板９ ,９ ,９ ,９を連設して成る蓋体３０であって、この額縁二重壁式の箱体２０の前後左右の側面内板４ ,４ ,４ ,４の内側に、蓋体３０の折下げた前後左右の側面差込み板９ ,９ ,９ ,９を、差込んで閉蓋する商品券用の紙箱である。【選択図】図２
2005186947.tif 000002
【特許請求の範囲】
【請求項１】
長方形の底面板２１の前後左右の各辺に、前後左右の側面板２ ,２ ,２ ,２と上面額縁板３ ,３ ,３ ,３と側面内板４ ,４ ,４ ,４と折返し片５ ,５ ,５ ,５とを、３本の折り目線と谷折り線とを介して順に連設して成る、通常の額縁二重壁式の上面を開放した偏平直方体状の箱体２０であって、また少なくとも前後辺に上面繋止片８ ,８を設けた長方形状の蓋面板３１の前後左右の各辺に、前後左右の側面差込み板９ ,９ ,９ ,９を、折り目線又は一部切れ目線ｃを介して連設して成る蓋体３０であって、この額縁二重壁式の箱体２０の前後左右の側面内板４ ,４ ,４ ,４の内側に、蓋体３０の折下げた前後左右の側面差込み板９ ,９ ,９ ,９を、差込んで閉蓋することを特徴とする商品券用の紙箱。
【発明の詳細な説明】
【技術分野】
【０００１】
本発明は、デパートなどの商品券やビール券 ,図書券 ,米券などを収容する、組立て作業と収容作業とが容易な商品券用の紙箱に関する。
【背景技術】
【０００２】
従来から、デパートなどの商品券やビール券 ,図書券 ,米券などを収容する、例えば図３Ｂに示すような、通常の額縁二重壁式( 図１Ａ ,Ｂを参照 )の上面を開放した偏平直方体状の箱体２０と、また例えば図３Ａに示すような、通常の二重壁式( ブランクの平面図を省略 )の下面を開放した偏平直方体状の蓋体４０と、から成る商品券用の紙箱が、一般に最も広く用いられている。
【発明の開示】
【発明が解決しようとする課題】
【０００３】
ところが従来の、図３Ｂに示す通常の額縁二重壁式の箱体２０については、予め底面板２１の内面側に、前後の折返し片５ ,５を貼着して( 図２Ｄを参照、ワンタッチ式と通称する )あったとしても、前後左右の側面板２ ,２ ,２ ,２を折立てて、左右の上面額縁板３ ,３と側面内板４ ,４とを折込んで、左右の折返し片５ ,５を折返して繋止する必要があるために、また図３Ａに示す通常の二重壁式の蓋体４０については、予め蓋面板４１の内面側に、前後の図示していない折返し片を貼着して( ワンタッチ式と通称する )あったとしても、前後左右の側面板４２ ,４２ ,４２ ,４２を折下げて、左右の図示していない側面内板を折込んで、左右の図示していない折返し片を折返して繋止する必要があるために、それぞれの組立て作業がやゝ手間取ることが問題であって、デパートなどの商品券やビール券 ,図書券 ,米券などを、店頭で顧客の求めに応じて収容する前に、この額縁二重壁式の箱体２０と二重壁式の蓋体４０とから成る商品券用の紙箱を、予め組立てておく手間と置き場所とが必要であった。
【０００４】
そこで、本発明の目的は、箱体２０について、前述した図３Ｂに示す通常の額縁二重壁式の箱体２０をそのまま採用して、二重壁式の蓋体４０の組立て作業を簡単にすることによって、デパートなどの商品券やビール券 ,図書券 ,米券などを、店頭で顧客の求めに応じて収容する前の、予め組立てておく手間と置き場所とを半減した、組立て作業と収容作業とが容易な商品券用の紙箱を提供することにある。
【課題を解決するための手段】
【０００５】
本発明の商品券用の紙箱は、図１Ａに示すように、長方形の底面板２１の前後左右の各辺に、前後左右の側面板２ ,２ ,２ ,２と上面額縁板３ ,３ ,３ ,３と側面内板４ ,４ ,４ ,４と折返し片５ ,５ ,５ ,５とを、３本の折り目線( 符号がない１点鎖線、以下同じ
)と谷折り線( 符号がない破線、以下同じ )とを介して順に連設して成る、図１Ｂに示す通常の額縁二重壁式の上面を開放した偏平直方体状の箱体２０であって、また図２Ａに示すように、少なくとも前後辺に上面繋止片８ ,８を設けた長方形状の蓋面板３１の前後左右の各辺に、前後左右の側面差込み板９ ,９ ,９ ,９を、折り目線又は一部切れ目線ｃを介して連設して成る、図２Ｂに示す蓋体３０であって、図２Ｃ ,Ｄに示すように、この額縁二重壁式の箱体２０の前後左右の側面内板４ ,４ ,４ ,４の内側に、蓋体３０の折下げた前後左右の側面差込み板９ ,９ ,９ ,９を、差込んで閉蓋することを特徴とする商品券用の紙箱である。
【０００６】
本発明の商品券用の紙箱においては、長方形の底面板２１の前後左右の各辺に、前後左右の側面板２ ,２ ,２ ,２と上面額縁板３ ,３ ,３ ,３と側面内板４ ,４ ,４ ,４と折返
し片５ ,５ ,５ ,５とを、３本の折り目線と谷折り線とを介して順に連設して成る、前述した図３Ｂに示す通常の額縁二重壁式の箱体２０と同様の、図１Ｂに示す通常の額縁二重壁式の上面を開放した偏平直方体状の箱体２０であって、また少なくとも前後辺に上面繋止片８ ,８を設けた長方形状の蓋面板３１の前後左右の各辺に、前後左右の側面差込み板９ ,９ ,９ ,９を、折り目線又は一部切れ目線ｃを介して連設して成る、図２Ｂに示す蓋体３０であって、この額縁二重壁式の箱体２０の前後左右の側面内板４ ,４ ,４ ,４の内側に、蓋体３０の折下げた前後左右の側面差込み板９ ,９ ,９ ,９を、極めて簡単に差込んで閉蓋することができるものである。
【０００７】
すなわち、本発明の商品券用の紙箱においては、前述した図３Ｂに示す通常の額縁二重壁式の箱体２０と同様に、底面板２１の内面側に、前後の折返し片５ ,５を機械的に貼着した後に、簡単な手作業などで、前後左右の側面板２ ,２ ,２ ,２を折立てて、左右の上面額縁板３ ,３と側面内板４ ,４とを折込んで、左右の折返し片５ ,５を折返して繋止した、図１Ｂに示す通常の額縁二重壁式の上面を開放した偏平直方体状の箱体２０を、やゝ手間をかけて組立てて準備しておくだけで、デパートなどの商品券やビール券 ,図書券 ,米券などを、店頭で顧客の求めに応じて、この額縁二重壁式の箱体２０の前後左右の側面内板４ ,４ ,４ ,４の内側に、蓋体３０の折下げた前後左右の側面差込み板９ ,９ ,９ ,９を、簡単に差込んで閉蓋して収容することができる、前述した図３Ａに示す通常の二重壁式の蓋体４０のような、やゝ手間取る組立て作業を必要としない、組立て作業と収容作業とが容易な商品券用の紙箱を得ることができる。
【発明の効果】
【０００８】
以上、本発明の商品券用の紙箱においては、箱体２０について、前述した図３Ｂに示す通常の額縁二重壁式の箱体２０をそのまま採用して、二重壁式の蓋体４０の組立て作業を簡単にすることによって、デパートなどの商品券やビール券 ,図書券 ,米券などを、店頭で顧客の求めに応じて収容する前の、予め組立てておく手間と置き場所とを半減した、組立て作業と収容作業とが容易な商品券用の紙箱を提供することができる。
【発明を実施するための最良の形態】
【０００９】
本発明の商品券用の紙箱については、後述する実施例１に示すように、表面に美麗な印刷をした適宜のコートボール紙などを用いて、それぞれ通常の打抜型を用いた打抜工程で、無駄が少ない長方形状の商品券用の紙箱の箱体２０と蓋体３０とのブランクを作製した後に、前述した図３Ｂに示す通常の額縁二重壁式の箱体２０と同様に、通常の機械的な貼着工程と簡単な手作業とで、図１Ｂに示す通常の額縁二重壁式の上面を開放した偏平直方体状の箱体２０を作製することができる、また特に商品券用の紙箱の蓋体３０については、切れ目線ｃ ,ｃを切断して４本の折り目線を山折りするだけで、図２Ｂに示す前後左右の側面差込み板９ ,９ ,９ ,９を折下げた蓋体３０を作製することができる、工程が簡単で作製費用が廉価な商品券用の紙箱を提供することができる。
【実施例１】
【００１０】
図１Ａは、本発明の実施例１における、商品券用の紙箱の箱体２０のブランクの平面図であって、図１Ｂは、商品券用の紙箱の箱体２０の斜視図である。また図２Ａ ,Ｂは、本発明の実施例１における、商品券用の紙箱の蓋体３０の平面図 ,斜視図であって、図２Ｃ
,Ｄは、商品券用の紙箱の斜視図 ,断面図である。
【００１１】
すなわち、長方形の底面板２１の前後左右の各辺に、前後左右の側面板２ ,２ ,２ ,２と上面額縁板３ ,３ ,３ ,３と側面内板４ ,４ ,４ ,４と折返し片５ ,５ ,５ ,５とを、３本の折り目線と谷折り線とを介して順に連設して、この前後左右の側面板２ ,２ ,２ ,２の間に、それぞれ斜め４５度の谷折り線ａを設けた折込み接続片６ ,６ ,６ ,６を、直交する２本の折り目線を介して連設して、また前後の側面内板４ ,４の左右辺に、それぞ
れ切込みｂを設けた嵌合接続片７ ,７ ,７ ,７を、谷折り線を介して連設した、図１Ａに示す商品券用の紙箱の箱体２０のブランクであって、表面に美麗な印刷をした２７０ｇ／ｍ2 のコートボール紙を用いて、通常の打抜型を用いた打抜工程で、無駄が少ない長方形状の商品券用の紙箱の箱体２０のブランクを作製した。
【００１２】
次に、図１Ａに示す商品券用の紙箱の箱体２０のブランクの、全ての符号がない１点鎖線で示す折り目線を山折りして、また全ての符号がない破線で示す谷折り線を谷折りして、通常の機械的な貼着工程( サック貼りと言う )で、底面板２１の内面側に、前後の折返し片５ ,５を貼着した( 図２Ｄを参照、ワンタッチ式と通称する )後に、簡単な手作業で、それぞれ斜め４５度の谷折り線ａを設けた折込み接続片６ ,６ ,６ ,６を折込みながら、前後左右の側面板２ ,２ ,２ ,２を折立てて、それぞれ切込みｂを設けた嵌合接続片７
,７ ,７ ,７を嵌合しながら、左右の上面額縁板３ ,３と側面内板４ ,４とを折込んで、左右の折返し片５ ,５を折返して、底面板２１の内面側に貼着した前後の折返し片５ ,５に繋止して、図１Ｂに示す通常の額縁二重壁式の上面を開放した偏平直方体状の、縦と横と高さとが９２×１９０×１６ｍｍの商品券用の紙箱の箱体２０を作製した。
【００１３】
また、前後辺に上面繋止片８ ,８を設けた長方形状の蓋面板３１の前後左右の各辺に、前後左右の側面差込み板９ ,９ ,９ ,９を、折り目線又は一部切れ目線ｃを介して連設した、図２Ａに示す商品券用の紙箱の蓋体３０のブランクであって、表面に美麗な印刷をした３５０ｇ／ｍ2 のコートボール紙を用いて、通常の打抜型を用いた打抜工程で、無駄が少ない長方形状の商品券用の紙箱の蓋体３０のブランクを作製した後に、切れ目線ｃ ,ｃを切断して４本の符号がない１点鎖線で示す折り目線を山折りして、図２Ｂに示す前後左右の側面差込み板９ ,９ ,９ ,９を折下げた、縦と横と高さとが７６×１７４×１５ｍｍの商品券用の紙箱の蓋体３０を作製した。
【００１４】
本実施例１の商品券用の紙箱においては、図２Ｃ ,Ｄに示すように、デパートなどの商品券やビール券 ,図書券 ,米券などを、店頭で顧客の求めに応じて、図１Ｂに示す通常の額縁二重壁式の箱体２０の前後左右の側面内板４ ,４ ,４ ,４の内側に、図２Ｂに示す蓋体３０の折下げた前後左右の側面差込み板９ ,９ ,９ ,９を、簡単に差込んで閉蓋して収容することができる、しかも蓋面板３１の上面繋止片８ ,８を指でつまんで、簡単に開蓋して商品券などを取出すことができる、特に商品券用の紙箱の蓋体３０について、工程が簡単で作製費用が廉価であって、組立て作業と収容作業とが容易な商品券用の紙箱を得ることができた。
【産業上の利用可能性】
【００１５】
本発明の商品券用の紙箱については、収容したデパートなどの商品券やビール券 ,図書券 ,米券などの、券の種類や金額やホログラムなどの主要部分が目視できるように、蓋面板３１に図示していない目視開口を設けるなどして、また蓋体３０に美麗な印刷をした透明なプラスチック材料を用いるなどして、商品券用の紙箱のデザイン効果や顧客の利便性などを図ることができる。
【図面の簡単な説明】
【００１６】
【図１】本発明の実施例１における、図１Ａは、商品券用の紙箱の箱体２０のブランクの平面図であって、図１Ｂは、商品券用の紙箱の箱体２０の斜視図である。
【図２】本発明の実施例１における、図２Ａ ,Ｂは、商品券用の紙箱の蓋体３０の平面図 ,斜視図であって、図２Ｃ ,Ｄは、商品券用の紙箱の斜視図 ,断面図である。
【図３】図３Ａ ,Ｂは、従来の商品券用の紙箱の斜視図である。
【符号の説明】
【００１７】
２    …側面板
３    …上面額縁板
４    …側面内板
５    …折返し片
６    …折込み接続片
７    …嵌合接続片
８    …上面繋止片
９    …側面差込み板
２０  …箱体
２１  …底面板
３０  …蓋体
３１  …蓋面板
４０  …二重壁式の蓋体
４１  …蓋面板
４２  …側面板
ａ    …斜め４５度の谷折り線
ｂ    …切込み
ｃ    …切れ目線
【図１】
2005186947.tif 000003
【図２】
2005186947.tif 000004
【図３】
2005186947.tif 000005